(57)【要約】【課題】  ネットワーク対応プロジェクタでは、予め接続したい映像源の機器に関する情報を登録しておかなくてはならないという問題点があった。【解決手段】  ネットワーク１に接続可能なネットワーク対応プロジェクタ３において、携帯型メモリが装着可能な外部接続コネクタ２０と、前記外部接続コネクタ２０に装着されたメモリデバイス４から、映像源の機器のＩＰアドレスを読み込む手段２５と、接続されたネットワークを介して、前記読み込んだＩＰアドレスに対応する映像源の機器との間で接続制御を行うネットワーク接続手段１６と、前記映像源の機器から転送された映像を表示する表示手段１９とを具備する。【選択図】      図２
2008281948.tif 000002
【特許請求の範囲】
【請求項１】
ネットワークに接続可能なネットワーク対応プロジェクタにおいて、
携帯型メモリが装着可能な外部接続コネクタと、
前記外部接続コネクタに装着されたメモリデバイスから、映像源の機器のＩＰアドレスを読み込む手段と、
接続されたネットワークを介して、前記読み込んだＩＰアドレスに対応する映像源の機器との間で接続制御を行うネットワーク接続手段と、
前記映像源の機器から転送された映像を表示する表示手段と
を具備することを特徴とするネットワーク対応プロジェクタ。
【請求項２】
前記外部接続コネクタは、ＵＳＢコネクタであることを特徴とする請求項１記載のネットワーク対応プロジェクタ。
【請求項３】
前記ネットワーク接続手段は、パスワードの入力を促す手段と、入力されたパスワードをあらかじめら設定されているパスワードを対比して照合する手段と、一致した場合に前記ＩＰアドレスに対応した機器との接続を行うことを特徴とする請求項１に記載のネットワーク対応プロジェクタ。
【発明の詳細な説明】
【技術分野】
【０００１】
本発明は、ネットワークに接続可能なプロジェクタに関する。
【背景技術】
【０００２】
このネットワーク対応プロジェクタは、例えばＰＣなどの映像源となる機器との接続を、ネットワークを経由して接続できる構成を備えたプロジェクタである。
構内ＬＡＮ等で構成されるネットワークには、例えばＰＣなどの映像源となる機器と、ネットワーク対応プロジェクタが接続される。そして、映像源となる機器からネットワーク経由でプロジェクタへ画面転送機能により画面情報が転送され、表示を行うようになっている。
【０００３】
このように、ネットワークを経由して、プロジェクタから表示を行う場合は、プロジェクタに対し、接続先となるＰＣ等のＩＰアドレスを指定して、接続を行う。
従来では映像源となるＰＣのアプリケーションから、プロジェクタに対して接続を行う形態であった。通常、機器同士が同一サブネットワーク内に存在すれば、ブロードキャストを用いることで相手側の機器の検索が可能であるが、機器同士が異なるサブネットワークに存在する場合は自動検索で発見することができず、直接相手側の機器のＩＰアドレスを指定しないとコネクションを張ることができないという問題がある。実際に、ＰＣからサブネットワークを越えた場所に、存在するプロジェクタに接続する際には、ＰＣアプリケーション上でプロジェクタのＩＰアドレスをユーザが指定する必要があるのが現状である。
【０００４】
また、映像源の機器との接続に関する設定を行う方法として、記憶デバイスを用いて行うものもある（例えば、特許文献１）。しかしながら、前記特許文献１では、ＩＰアドレスではなく、ＭＡＣアドレスを用いるものであるため、プロジェクタに予め接続したい機器のＭＡＣアドレスの登録しておく必要であった。このため、例えば複数の出席者がそれぞれ発表を行うような会議の場合、接続したい映像源の機器のそれぞれのＭＡＣアドレスの設定が必要で、煩雑であった。
【特許文献１】特開２００６‐２８５０７２公報
【発明の開示】
【発明が解決しようとする課題】
【０００５】
しかしながら、従来の構成では、予め接続したい映像源の機器に関する情報を登録しておかなくてはならないという問題点があった。
本発明は、上記事情によりなされたもので、その目的は、事前に登録が必要なく、かつ簡易に複数の映像機器との接続の設定が可能なプロジェクタを提供することを目的とする。
【課題を解決するための手段】
【０００６】
上記目的を達成するために本発明は、ネットワークに接続可能なネットワーク対応プロジェクタにおいて、携帯型メモリが装着可能な外部接続コネクタと、前記外部接続コネクタに装着されたメモリデバイスから、映像源の機器のＩＰアドレスを読み込む手段と、接続されたネットワークを介して、前記読み込んだＩＰアドレスに対応する映像源の機器との間で接続制御を行うネットワーク接続手段と、前記映像源の機器から転送された映像を表示する表示手段とを具備することを特徴とする。
【０００７】
このような構成を有することにより、事前に登録が必要なく、かつ簡易に複数の映像機器との接続の設定が可能なプロジェクタを提供することができるようになる。
【発明の効果】
【０００８】
以上説明したように、本発明では、メモリデバイスによりＩＰアドレスを装着するという構成をとるため、ＩＰアドレスの指定が、ユーザの操作において不要とすることができる。
【発明を実施するための最良の形態】
【０００９】
以下、図面を参照して本発明の実施の形態を詳細に説明する。
【実施例１】
【００１０】
図１は、ネットワーク対応プロジェクタを使用する時の構成図である。図１に示すように、構内ＬＡＮ等で構成されるネットワーク１には、例えばＰＣなどの映像源となる機器２と、ネットワーク対応プロジェクタ２がそれぞれ接続される。そして、ネットワーク対応プロジェクタ３は、ネットワーク１を経由して、映像源となるＰＣ等のＩＰアドレスに対して、接続制御を行う。プロジェクタ３と映像源となる機器２との接続が完了すると、ネットワーク経由で映像源の機器画面の転送機能により、プロジェクタ３に対し、画面情報が転送され、プロジェクタ３が映像の表示を行うようになっている。なお、それぞれの機器のネットワーク１への接続形態は、有線無線を問わない。
【００１１】
図２は、本実施例のネットワークプロジェクタ３に関する、ブロック構成図である。
ネットワーク対応プロジェクタ３の特徴は、プロジェクタへ映像源となる機器を直接接続するアナログ入力端子１１及びデジタル入力端子１２の他に、ネットワーク１に接続するためのネットワーク接続端子１３を有していることが特徴である。
【００１２】
アナログ入力端子１１は、アナログの映像信号が入力される入力端子であり、この入力端子１１に入力されたアナログの映像信号は、Ａ／Ｄ（ａｎａｌｏｇ／ｄｉｇｉｔａｌ）変換部１４に供給されてデジタル化される。
【００１３】
また、デジタル入力端子１２は、デジタル符号化された映像信号が入力される入力端子である。この入力端子１２に入力された、デジタル符号化された映像信号は、映像デコーダ部１５に供給されてデジタル復号化処理が施される。
【００１４】
ネットワーク接続端子１３は、ネットワーク接続部に接続される。ネットワーク接続部１６は、入力されたＩＰアドレスに応じて、外部機器との接続制御を行い、当該外部機器との接続が完了すると、転送されてきた映像信号を映像処理部１７へ転送する。
【００１５】
そして、上記映像処理部１７は、Ａ／Ｄ変換部１４から供給されるデジタルの映像信号と、映像デコーダ１５から供給されるデジタルの映像信号、ネットワーク接続部１６から供給される映像信号のいずれかを選択し、例えばスケーリング処理や輪郭補正処理等の映像表示に必要な各種の処理を施した後、光学制御部１８に出力している。
【００１６】
この光学制御部１８は、映像処理部１７から供給されるデジタルの映像信号のうち、各色成分Ｒ，Ｇ，Ｂに対応した映像信号に対して、それぞれコントラスト調整処理を施した後、表示部１９に供給される。
【００１７】
そして、表示部１９は、光学制御部１８からの信号に基づき、光を出射することで、スクリーンに拡散投射され、ここに映像表示が行われる。
また、外部接続用コネクタとしてＵＳＢコネクタ２０が設けられている。このＵＳＢコネクタ２０は周知のコネクタで、携帯用のメモリデバイス（例えばＵＳＢメモリ）４を装着可能となっている。なお、本実施例では、携帯用メモリデバイスがＵＳＢメモリの場合で説明しているがこれに限られず、ＩＰアドレスを記憶できる記憶デバイスであればいかなる形態でもかまわない。
【００１８】
なお、接続先の設定は、この携帯用メモリデバイスであるＵＳＢコネクタ２０にＵＳＢメモリ４を装着し、この接続されたＵＳＢメモリ４に記憶されたＩＰアドレスに基づき、接続先の機器を特定し、接続処理を行う。
【００１９】
ここで、メモリデバイス４に書き込まれた映像源の機器のＩＰアドレスをプロジェクタ３内のアプリケーションが用いることは、サブネットワークを越える場所に存在する機器と接続を行う場合でもユーザによるＩＰアドレス指定の操作を省くことができる点で有利である。
【００２０】
そして、この映像表示装置は、上記した映像処理動作を含むその全ての動作を制御部１９により統括的に制御されている。この制御部２１は、ＣＰＵ（ｃｅｎｔｒａｌ  ｐｒｏｃｅｓｓｉｎｇ  ｕｎｉｔ）等を内蔵しており、上記操作部２２からの操作情報、または、受信部２３を介して入力されたリモートコントローラ２４からの操作情報を、その操作内容が反映されるように各部をそれぞれ制御している。更に、制御部２１には、ＩＰアドレス認識部２５が設けられている。このＩＰアドレス認識部２５は、ＵＳＢコネクタ２０を介してメモリデバイス４に記憶されたＩＰアドレスを読み取り認識する。また、映像源の機器にパスワードが設定されているときに、操作者に対してパスワードの入力を促し、入力されたパスワードと映像源のパスワードを照合し、一致した場合に、ネットワーク部１６に対し、映像の転送を行うように制御する。
【００２１】
また、制御部２１は、メモリ部２６を利用している。このメモリ部２６は、主として、ＣＰＵが実行する制御プログラムを格納したＲＯＭ（ｒｅａｄ  ｏｎｌｙ  ｍｅｍｏｒｙ）と、該ＣＰＵに作業エリアを提供するＲＡＭ（ｒａｎｄｏｍ  ａｃｃｅｓｓｍｅｍｏｒｙ）と、各種の設定情報及び制御情報等が格納される不揮発性メモリとを有している。
【００２２】
次に、動作について説明する。
図１のようなネットワーク構成において、例えば、映像源の機器２は、オフィスで設置され、プロジェクタ３は会議室に設置された状態で、それぞれ、ネットワーク１に接続されている。
【００２３】
図３は、ＩＰアドレス情報の書き込みを説明するための図である。
図３において、映像源の機器に、ＵＳＢメモリを挿入する。映像源の機器では、専用のＰＣアプリケーションにより、機器のＩＰアドレス情報をある定められたフォーマットおよびファイル名でメモリデバイス４に書き込む。なお、ＩＰアドレスの書き込みについては、専用のＰＣアプリケーション上の何らかの操作を行うことで書き込む方法でもよいが、必要なデータを自動的にメモリデバイスに書き込むようにしてもよい。
【００２４】
次に、図４は、ＩＰアドレス情報の読み込みを説明するための図である。
図４において、会議室に設置されたプロジェクタ３のＵＳＢコネクタ２０に、このメモリデバイスを取り付ける。プロジェクタ３の制御部２１は、デバイス内の情報を読み込み、接続したい映像源の機器のＩＰアドレスを認識する。そして、制御部２１は、ネットワーク接続部１６を制御し、接続のトリガとなる信号をネットワーク１を介して映像源の機器に対して送信する。映像源となる機器では、プロジェクタのネットワーク接続部１６からの接続のトリガとなる信号を受け取ると、所定のアプリケーションを動作して、映像源となる機器の表示画像情報を、プロジェクタ３に対して送信する。
【００２５】
ここで、映像源となる機器との接続は、メモリデバイスが挿入されてからプロジェクタに対して何らかの操作を行う方法の他、プロジェクタ３にメモリデバイスが装着されたこと検出して、自動的に映像源の機器に対して接続を行うようにしてもよい。
【００２６】
図５は、映像源側の機器とプロジェクタの接続が完了した後の状態を説明するための図である。
接続が完了すると、図５に示すように、映像源の機器の画像がプロジェクタ３に転送され、プロジェクタから映像を投影することができる。そして、プロジェクタ３のリモコン２４を操作することにより、表示したいファイルを選択して、表示を行う。
【００２７】
このように、本発明ではプロジェクタ３から映像源となる機器に接続を働きかけるという従来と逆の方式である。
更に、メモリデバイスに書き込まれた映像源の機器のＩＰアドレスをプロジェクタ３内のアプリケーションが用いることで、サブネットワークを越える場所に存在する機器と接続を行う場合でもユーザによるＩＰアドレス指定の操作を省くことができる。
【００２８】
以上の実現により、例えば、ネットワーク対応プロジェクタ３のある会議室などで、会議の参加者は個々のＰＣのＩＰアドレス情報が書き込まれたメモリデバイス４だけを用意するだけで、サブネットワークの内外を問わず離れた場所にあるＰＣからプロジェクタ３への映像投影が可能になる。したがって、会議の参加者が個々のＰＣを持参するという従来の会議スタイルからの脱却を図ることができる。
【実施例２】
【００２９】
機器情報が書き込まれたメモリデバイス４を持つ第三者の操作によって、プロジェクタ３から勝手に映像源の機器に接続されてしまうことが考えられる。このようなことを防止するため、映像源の機器側には予めパスワードを設定しておく方法について説明する。
【００３０】
図３において、映像源の機器にメモリデバイス４を装着したとき、ＩＰアドレスの書き込む動作を行う際に、例えば図６に示すような、操作者に対してパスワードの入力を促す表示を行う。ここで、パスワードは、英数字の数文字で構成する。また、プロジェクタ側のリモコンが、日本語(ひらがな、カタカナ、漢字)の入力が可能な場合は、ひらがな、カタカナ、漢字が混じったパスワードを許容するようにしてもよい。
【００３１】
この表示に応じてパスワードが入力されると、当該パスワードもメモリデバイス４に記憶される。
次に、図４において、プロジェクタ３のＵＳＢコネクタ２０にメモリデバイス４を取り付けると、プロジェクタのＩＰアドレス認識部２５は、メモリデバイス４に記憶されたＩＰアドレスとパスワードを認識する。このとき、ＩＰアドレス認識部２５は、映像処理部１７に対し、図６に示すような、パスワード入力を促す画面を表示させる。そして、操作者がリモコン２４を操作してパスワードが入力されると、ＩＰアドレス認識部２５は、メモリデバイス４に記憶されたパスワードと入力されたパスワードを照合する。
【００３２】
そして、パスワードが一致した場合のみ、ネットワーク部１６に対し、映像源の機器２に対して接続制御を開始信号を出力する。ネットワーク部１６は、接続信号の開始信号を受信すると、映像源側の機器２と接続制御を行う。接続が完了すると、図５に示すように、映像源側の画像がプロジェクタに転送され、プロジェクタから映像の表示が行えるようになる。このため、パスワードが一致するまで、プロジェクタと映像源側の機器２との接続が行われないため、プロジェクタ３からの接続を禁止することができる。
【００３３】
なお、映像機器側とのパスワードと入力されたパスワードの照合は、プロジェクタ側でなく、映像機器側で行うようにしてもよい。
この場合は、ＩＰアドレス認識部２５は、ＵＳＢメモリ４からＩＰアドレスを検出すると、映像源側の機器２に対して接続要求を行う。これに対して、映像源の機器２は、プロジェクタ３に対して、パスワードの送信要求を行う。ＩＰアドレス認識部２５は、これを検出すると、映像処理部１７を制御して、パスワードの入力を促す画面を表示させる。この表示に応じてパスワードが入力されると、このパスワードを映像源側の機器２に転送する。映像源の機器２では、プロジェクタ３から送信されたパスワードを記録していたパスワードと照合し、一致した場合は、プロジェクタ３に対し、接続許可の信号を出力するとともに、映像信号の供給を行う。
【００３４】
以上の構成をとることにより、機器情報が書き込まれたメモリデバイス４を持つ第三者の操作によって、プロジェクタ３から勝手に映像源の機器に接続されてしまうことを防止することができる。
【図面の簡単な説明】
【００３５】
【図１】本発明の実施の形態に関わる映像源側機器とプロジェクタの接続を示す図。
【図２】本発明の実施の形態に関わるプロジェクタの内部構成を示す図。
【図３】本発明の実施の形態に関わるＩＰアドレス書き込みに関する図。
【図４】本発明の実施の形態に関わるＩＰアドレス読み込みに関する図。
【図５】本発明の実施の形態に関わる映像源側機器とプロジェクタの接続後を示す図。
【図６】本発明の実施の形態に関わるパスワード入力画面を示す図。
【符号の説明】
【００３６】
１・・・ネットワーク
２・・・映像源となる機器
３・・・プロジェクタ
４・・・メモリデバイス
１６・・・ネットワーク部
２０・・・ＵＳＢコネクタ
２１・・・制御部
２５・・・ＩＰアドレス認識部
【図１】
2008281948.tif 000003
【図２】
2008281948.tif 000004
【図３】
2008281948.tif 000005
【図４】
2008281948.tif 000006
【図５】
2008281948.tif 000007
【図６】
2008281948.tif 000008